(57)【要約】      （修正有）【課題】ファクシミリ装置において、電話回線と疑似リンガ電圧回路に接続される外部電話機の電圧極性の不整合に起因する外部電話機の誤動作をより簡単な構成で防止できる回線網制御装置を提供する。【解決手段】外部電話機を接続可能なファクシミリ装置の回線網制御装置であって、電話回線の電圧極性を検出する極性検出部と、前記電話回線および前記回線電圧回路の間で前記外部電話機の接続を切り替える回線切替部と、前記外部電話機の接続が前記回線電圧回路に切り替えられたとき、前記外部電話機に電圧を供給する回線電圧回路と、前記極性検出部、前記回線切替部および前記回線電圧回路を制御する制御部とを備える。【選択図】図５
2017046102.tif 000002
【特許請求の範囲】
【請求項１】
外部電話機を接続可能なファクシミリ装置の回線網制御装置であって、
電話回線の電圧極性を検出する極性検出部と、
前記電話回線および前記回線電圧回路の間で前記外部電話機の接続を切り替える回線切替部と、
前記外部電話機の接続が前記回線電圧回路に切り替えられたとき、前記外部電話機に電圧を供給する回線電圧回路と、
前記極性検出部、前記回線切替部および前記回線電圧回路を制御する制御部とを備え、
前記回線電圧回路は、前記制御部からの入力信号の種類に応じて基準電位に対し正負のいずれの極性の電圧も出力することができ、
前記制御部は、前記電話回線の電圧極性を前記極性検出部に検出させ、前記電圧極性に応じて予め定められた種類の前記入力信号を前記回線電圧回路に入力することによって、前記電話回線の電圧極性および前記回線電圧回路の出力電圧の極性を一致させることを特徴とする回線網制御装置。
【請求項２】
前記制御部は、前記回線切替部に前記外部電話機の接続を前記電話回線から前記回線電圧回路に切り替えさせる際に、前記回線電圧回路の出力電圧の電圧極性が前記電話回線の電圧極性と異なるとき、前記電圧極性に応じて予め定められた種類の前記入力信号を前記回線電圧回路に入力することによって、前記電話回線の電圧極性および前記回線電圧回路の出力電圧の極性を一致させる請求項１に記載の回線網制御装置。
【請求項３】
前記制御部は、前記回線電圧回路の出力電圧の電圧極性が前記電話回線の電圧極性と異なるとき、前記電圧極性に応じて予め定められた種類の前記入力信号を前記回線電圧回路に入力することによって、前記電話回線の電圧極性および前記回線電圧回路の出力電圧の極性を一致させた後に、前記回線切替部に前記外部電話機の接続を前記電話回線から前記回線電圧回路に切り替えさせる請求項１または２に記載の回線網制御装置。
【請求項４】
前記制御部は、前記回線切替部に前記外部電話機の接続を前記電話回線から前記回線電圧回路に切り替えさせる切替時間の間、または前記切替時間を含む時間の間、前記入力信号を前記回線電圧回路に入力する請求項１〜３のいずれか１つに記載の回線網制御装置。
【請求項５】
請求項１〜４のいずれか１つに記載の回線網制御装置を備えたファクシミリ装置。
【発明の詳細な説明】
【技術分野】
【０００１】
この発明は、回線網制御装置およびファクシミリ装置に関し、より詳しくは、外部電話機を接続可能なファクシミリ装置の回線網制御装置および前記回線網装置を備えたファクシミリ装置に関する。
【背景技術】
【０００２】
ファクシミリ装置には、外部電話機（または併設電話機）を接続可能なものが知られている。このようなファクシミリ装置は、外部電話機に電圧（疑似リンガ電圧）を供給すべき電源を備え、電話交換機からの回線電圧を疑似リンガ電圧に切り替えて外部電話機に供給する。
【０００３】
一方、電話交換機から送られる電圧は、オフフック時などの所定のタイミングで極性が反転することがあり、これがしばしば外部電話機の誤動作の原因となりうる。それゆえ、このような電話回線の電圧極性の反転に起因する外部電話機の誤動作を防止するため、回線電圧と疑似リンガ電圧とを切り替える際に、切り替え前後の電圧の極性を合わせることが望ましい。
【０００４】
従来、このような問題に対処すべく、極性検出部で検出された極性および電力供給手段の極性と併設電話機への極性を一致させる極性一致手段とを具備したことを特徴とする網制御装置の発明（例えば、特許文献１を参照）や、回路閉結時に、電話回線の電圧極性を検出する極性検出部と、その検出された極性に基づいて、電話回線の電圧極性と子電話機の極性とを整合させる極性整合手段をと設けたファクシミリ装置の発明（例えば、特許文献２を参照）が開示されている。
【先行技術文献】
【特許文献】
【０００５】
【特許文献１】特開平９−２００４２４号公報
【特許文献２】特開平６−２３３００２号公報
【発明の概要】
【発明が解決しようとする課題】
【０００６】
しかしながら、従来の電圧極性の切替方法は、機械的なリレーを用いて切り替えるものであるため、切り替え時のタイムラグや、コストアップの問題が生じるだけでなく、制御が複雑となることがある。
【０００７】
この発明は、以上のような事情を考慮してなされたものであって、その目的は、ファクシミリ装置において、電話回線および疑似リンガ電圧回路に接続される外部電話機の電圧極性の不整合に起因する外部電話機の誤動作をより簡単な構成で防止できる回線網制御装置を提供することにある。
【課題を解決するための手段】
【０００８】
この発明は、外部電話機を接続可能なファクシミリ装置の回線網制御装置であって、電話回線の電圧極性を検出する極性検出部と、前記電話回線および前記回線電圧回路の間で前記外部電話機の接続を切り替える回線切替部と、前記外部電話機の接続が前記回線電圧回路に切り替えられたとき、前記外部電話機に電圧を供給する回線電圧回路と、前記極性検出部、前記回線切替部および前記回線電圧回路を制御する制御部とを備え、前記回線電圧回路は、前記制御部からの入力信号の種類に応じて基準電位に対し正負のいずれの極性の電圧も出力することができ、前記制御部は、前記電話回線の電圧極性を前記極性検出部に検出させ、前記電圧極性に応じて予め定められた種類の前記入力信号を前記回線電圧回路に入力することによって、前記電話回線の電圧極性および前記回線電圧回路の出力電圧の極性を一致させることを特徴とする回線網制御装置を提供するものである。
【発明の効果】
【０００９】
この発明によれば、ファクシミリ装置において、電話回線と疑似リンガ電圧回路に接続される外部電話機の電圧極性の不整合に起因する外部電話機の誤動作をより簡単な構成で防止できる回線網制御装置を実現できる。
【図面の簡単な説明】
【００１０】
【図１】この発明の回線網制御装置を備えたファクシミリ装置の概略構成を示すブロック図である。
【図２】外部電話機に印加される電圧の極性を示すタイムチャートである。
【図３】図１に示す回線電圧回路の回路図である。
【図４】図１に示す回線電圧回路の入力信号および出力信号と外部電話機に印加される電圧極性との関係を示す説明図である。
【図５】図１に示す回線電圧回路の出力電圧の極性を電話回線の電圧極性に合わせて制御した際のタイムチャートである。
【図６】実施形態２に係る回線電圧回路の出力電圧の極性を電話回線の電圧極性に合わせて制御した際のタイムチャートである。
【発明を実施するための形態】
【００１１】
以下、図面を用いてこの発明をさらに詳述する。なお、以下の説明は、すべての点で例示であって、この発明を限定するものと解されるべきではない。
【００１２】
（実施形態１）
＜ファクシミリ装置１の構成＞
以下、図１に基づき、この発明の実施形態１に係る回線網制御装置１０を備えたファクシミリ装置１の概略構成を説明する。
図１は、この発明の回線網制御装置１０を備えたファクシミリ装置１の概略構成を示すブロック図である。
【００１３】
ファクシミリ装置１は、文字や画像・写真等の情報が記載された文書を、通信回線を通じて電子的に送受信する装置である。実施形態１では、外部電話機を接続することにより、相手側と電話する機能も有する。
また、ファクシミリ以外の機能を備えたＭＦＰ（Multifunctional Peripheral：多機能周辺装置）など、画像を形成して出力する機能を有するものであってもよい。
【００１４】
図１に示すように、ファクシミリ装置１は、回線網制御装置１０、ＭＯＤＥＭ１０４およびＣＰＵ１０３を備える。
回線網制御装置１０は、外部電話機の接続を電話回線から回線電圧回路１０８に切り替える際に、電話回線および回線電圧回路１０８の極性が整合するように制御する装置である。
【００１５】
回線網制御装置１０は、ＬＩＮＥコネクタ１０１、回線制御部１０２、極性検出部１０５、ＴＥＬコネクタ１０６、Ｓリレー１０７、回線電圧回路１０８およびＣＩ検出部１０９を備える。
なお、図１において、ファクシミリ機能に係る公知の構成については省略した。
以下、図１に示すファクシミリ装置１の各構成要素について説明する。
【００１６】
ＬＩＮＥコネクタ１０１は、電話回線をファクシミリ装置１に接続するための端子である。
【００１７】
回線制御部１０２は、ＬＩＮＥコネクタ１０１を介して電話回線に接続され、電話回線を閉ループ（オフフック）した際の直流抵抗値を制御して、電話回線からの信号が予め定められた規定値におさまるように調整した上でＭＯＤＥＭ１０４に送信する部分である。
【００１８】
ＣＰＵ１０３は、ＣＰＵあるいはマイクロプロセッサ(Microprocessor)を主体とする回路であり、ファクシミリ装置１の各構成要素の動作を制御する部分である。主として、ＣＰＵ、ＲＯＭ、ＲＡＭ、Ｉ／Ｏコントローラ、タイマー等からなるマイクロコンピュータによって実現される。
ＣＰＵ１０３は、ＲＯＭ等に予め格納された制御プログラムに基づいて、各ハードウェアを有機的に動作させて、後述するようなこの発明の回線電圧回路１０８への入力信号ＣＩＯＮの出力機能や外部電話機に印加される電圧極性の制御機能などを実行する。
なお、周辺回路として、特定の用途のために設計、製造される集積回路であるＡＳＩＣ（Application Specific Integrated Circuit）、その他の演算機能を有する回路を含んでいてもよい。
【００１９】
ＭＯＤＥＭ１０４は、電話回線から受信したデータ信号を画像情報に変換し、または画像情報を電話回線に送信すべきデータ信号に変換し、また、トーン信号（ＤＴＭＦ）を発信または検出する部分である。
【００２０】
極性検出部１０５は、ＬＩＮＥコネクタ１０１を介して電話回線に接続され、電話回線を流れる直流電流の電圧極性を検出して、ＣＰＵ１０３に信号ＨＳ１およびＨＳ２を送信して知らせる部分である。
【００２１】
ＴＥＬコネクタ１０６は、Ｓリレー１０７を介して、外部電話機を電話回線または回線電圧回路１０８に接続する部分である。
【００２２】
Ｓリレー１０７は、外部電話機を電話回線または回線電圧回路１０８のいずれかに切り替えて接続するリレーである。
ＣＰＵ１０３は、切替信号ＳＯＮによりＳリレー１０７の切り替えを制御する。
ＣＰＵ１０３がＳリレー１０７に切替信号ＳＯＮを出力していないとき（切替信号ＳＯＮがＯＦＦのとき）、Ｓリレー１０７は、外部電話機を電話回線に接続させる。
このとき、ＴＥＬコネクタ１０６の端子Ｌ２１およびＬ２２はそれぞれ、ＬＩＮＥコネクタ１０１の端子Ｌ１１およびＬ１２に接続される。
【００２３】
一方、ＣＰＵ１０３がＳリレー１０７に切替信号ＳＯＮを出力したとき（切替信号ＳＯＮがＯＮのとき）、Ｓリレー１０７は、外部電話機を回線電圧回路１０８に接続させる。
このとき、ＴＥＬコネクタ１０６の端子Ｌ２１は、回線電圧回路１０８の出力端子に接続され、ＴＥＬコネクタ１０６の端子Ｌ２２は、グラウンド（基準電位ＧＮＤ）に接続される。
【００２４】
回線電圧回路１０８は、ＣＰＵ１０３からの入力信号ＣＩＯＮに応じて、基準電位ＧＮＤに対して、＋極性の電位または−極性の電位を出力する部分である。
【００２５】
ＣＩ検出部１０９は、電話回線から受信した呼出（Call Indicator）信号を検出し、ＣＰＵ１０３に送信する部分である。
【００２６】
＜ファクシミリ装置１の外部電話機に印加される電圧極性の制御＞
次に、図２〜図５に基づき、この発明の実施形態１に係るファクシミリ装置１の外部電話機に印加される電圧極性の制御について説明する。
図２は、外部電話機に印加される電圧の極性を示すタイムチャートである。図３は、図１に示す回線電圧回路１０８の回路図である。図４は、図１に示す回線電圧回路１０８の入力信号ＣＩＯＮおよび出力信号ＣＩＯＵＴと外部電話機に印加される電圧極性との関係を示す説明図である。図５は、図１に示す回線電圧回路１０８の出力電圧の極性を電話回線の電圧極性に合わせて制御した際のタイムチャートである。
【００２７】
図２の横軸は時間を表し、時間Ｔ１，Ｔ２およびＴ３の３つの時間に区分される。
また、上から順に、（Ａ）電話回線の電圧極性、（Ｂ）回線電圧回路１０８から出力される出力信号ＣＩＯＵＴの電圧極性、（Ｃ）外部電話機に印加される電圧極性、（Ｄ）外部電話機の接続先（電話回線または回線電圧回路１０８）、および（Ｅ）ＣＰＵ１０３から出力される切替信号ＳＯＮのＯＮ／ＯＦＦを示す。
【００２８】
図２（Ａ）に示されるように、電話回線の電圧極性について、時間Ｔ１〜Ｔ３にわたってＬ１１が−極性、Ｌ１２が＋極性であるものとする。
また、図２（Ｂ）に示されるように、回線電圧回路１０８の出力信号ＣＩＯＵＴは、時間Ｔ１〜Ｔ３にわたって＋２４Ｖ（＋極性）を出力しているものとする。
【００２９】
また、図２（Ｄ）および（Ｅ）に示されるように、ＣＰＵ１０３は、時間Ｔ２の間だけ切替信号ＳＯＮをＳリレー１０７に出力する。
その結果、外部電話機は、時間Ｔ１およびＴ３の間、電話回線に接続され、時間Ｔ２の間、回線電圧回路１０８に接続される。
【００３０】
図２（Ｄ）に示されるように、時間Ｔ１およびＴ３においては、外部電話機は電話回線に接続されているため、外部電話機に印加される電圧極性は、電話回線の電圧極性と同一である。
このとき、ＴＥＬコネクタ１０６の端子Ｌ２１およびＬ２２はそれぞれ、ＬＩＮＥコネクタ１０１の端子Ｌ１１およびＬ１２に接続されるため、時間Ｔ１およびＴ３における外部電話機に印加される電圧極性は、端子Ｌ２１が−極性、端子Ｌ２２が＋極性となる。
【００３１】
一方、時間Ｔ２においては、外部電話機は回線電圧回路１０８に接続されているため、外部電話機に印加される電圧極性は、回線電圧回路１０８の電圧極性と同一である。
このとき、ＴＥＬコネクタ１０６の端子Ｌ２１は、回線電圧回路１０８の出力端子に接続され、ＴＥＬコネクタ１０６の端子Ｌ２２は、グラウンド（基準電位ＧＮＤ）に接続されるため、時間Ｔ２における外部電話機に印加される電圧極性は、端子Ｌ２１が＋極性（＋２４Ｖ）、端子Ｌ２２が−極性（基準電位ＧＮＤ）となる。
【００３２】
このように、外部電話機の接続先が電話回線から回線電圧回路１０８に切り替わったとき、外部電話機に印加される電圧極性が反転することにより、電話が通話できなくなるなど、ファクシミリ装置１に誤動作が生じることがある。
それゆえ、外部電話機の誤動作を防止するためには、外部電話機が回線電圧回路１０８に接続された時間Ｔ２においても、外部電話機に印加される電圧の極性を、電話回線の電圧極性に合わせるのが望ましい。
【００３３】
なお、図２の例においては、時間Ｔ１〜Ｔ３にわたって電話回線が＋極性である場合を想定したが、実際には、電話回線の電圧極性は、着信時などのタイミングで反転することもある。
そこで、このような問題に対処すべく、実施形態１に係るファクシミリ装置１においては、極性検出部１０５で検出した電話回線の電圧極性にあわせて、回線電圧回路１０８の出力信号ＣＩＯＵＴの電位を変化させることによって、外部電話機に印加される電圧極性を反転させる。
【００３４】
次に、図３および図４に基づき、回線電圧回路１０８の構成および動作の説明をする。
図３に示されるように、回線電圧回路１０８には、４つのトランジスタＴＲ１〜ＴＲ４が設けられ、＋２４Ｖおよび−２４Ｖの２種類の電圧が供給されている。
【００３５】
図４（Ａ）に示されるように、時間Ｔ１およびＴ２において、ＣＰＵ１０３から入力信号ＣＩＯＮが入力されると、Ｓリレー１０７を介して外部電話機の端子Ｌ２１に出力信号ＣＩＯＵＴが出力される。
【００３６】
ここで、ＣＰＵ１０３からの入力信号ＣＩＯＮがＨレベルの時、トランジスタＴＲ１およびＴＲ２がＯＮになり、トランジスタＴＲ３およびＴＲ４がＯＦＦになるため、＋２４Ｖの出力信号ＣＩＯＵＴが出力される。
その結果、図４（Ｂ）（Ｃ）に示されるように、時間Ｔ１およびＴ３において、基準電位ＧＮＤ（０Ｖ）に接続されている端子Ｌ２２と比べ、端子Ｌ２１は＋２４Ｖと電位が高いため、＋極性となる。
【００３７】
一方、図４（Ａ）に示されるように、時間Ｔ２において、入力信号ＣＩＯＮがＬレベルの時は、トランジスタＴＲ１およびＴＲ２がＯＦＦになり、ＴＲ３およびＴＲ４がＯＮになるため、−２４Ｖの出力信号ＣＩＯＵＴが出力される。
その結果、図４（Ｂ）（Ｃ）に示されるように、時間Ｔ２において、基準電位ＧＮＤ（０Ｖ）に接続されている端子Ｌ２２と比べ、端子Ｌ２１は−２４Ｖと電位が低いため、−極性となる。
【００３８】
このように、ＣＰＵ１０３は、回線電圧回路１０８に出力する入力信号ＣＩＯＮをＨレベルまたはＬレベルとすることにより、外部電話機に印加される電圧極性をそれぞれ＋極性（＋２４Ｖ）または−極性（−２４Ｖ）に制御することが可能となる。
【００３９】
図５（Ｆ）に示されるように、ＣＰＵ１０３は、時間Ｔ１から時間Ｔ２へのＳリレー１０７を切替えるタイミングで、入力信号ＣＩＯＮをＨレベルからＬレベルに変更することにより、図５（Ｂ）に示されるように、出力信号ＣＩＯＵＴが＋２４Ｖから−２４Ｖに変わる。
【００４０】
このとき、図５（Ｃ）に示されるように、外部電話機に印加される電圧極性は、端子Ｌ２１が−極性（−２４Ｖ）となり、端子Ｌ２２が＋極性（ＧＮＤ）となる。それゆえ、図５（Ｄ）に示されるように、電話回線から回線電圧回路１０８に切り替えた場合であっても、電話回線の電圧極性（図５（Ａ））と合わせることができるため、外部電話機に印加される電圧極性を電話回線の電圧極性に常に統一させることができる。
【００４１】
（実施形態２）
次に、図６に基づき、この発明の実施形態２に係る回線網制御装置１０を備えたファクシミリ装置１について説明する。
図６は、実施形態２に係る回線電圧回路１０８の出力電圧の極性を電話回線の電圧極性に合わせて制御した際のタイムチャートである。
【００４２】
図６（Ａ）〜（Ｆ）は、それぞれ図５（Ａ）〜（Ｆ）と同一であるため、説明の詳細は省略する。ここでは、図５と異なる点について説明する。
【００４３】
実施形態２においては、回線制御部１０２で電話回線を閉ループ（オフフック）した際に、ＣＰＵ１０３は、極性検出部１０５を用いて回線電流の方向を検出させる。
極性検出部１０５は、回線の電圧極性を信号ＨＳ１／ＨＳ２により、ＣＰＵ１０３に伝える。
【００４４】
ＣＰＵ１０３は、極性検出部１０５から受信した信号ＨＳ１／ＨＳ２に基づき、外部電話機に印加すべき出力信号ＣＩＯＵＴ電圧の極性が電話回線の電圧極性と一致するように、入力信号ＣＩＯＮのデフォルト値を決める。
【００４５】
具体的には、図６（Ｆ）に示されるように、ＣＰＵ１０３は、時間Ｔ２の開始時にＳリレー１０７を切り替える前から、入力信号ＣＩＯＮをＬレベルにしておく。
【００４６】
それゆえ、図６（Ｂ）に示されるように、出力信号ＣＩＯＵＴは、Ｓリレー１０７を切り替える前から−２４Ｖとなるため、電話回線から回線電圧回路１０８に切り替えた際も、電話回線の電圧極性（図６（Ａ））と合わせることができ、外部電話機に印加される電圧極性を常に統一させることができる。
【００４７】
このようにして、Ｓリレー１０７の切替前から外部電話機に印加される電圧極性を電話回線の電圧極性と一致させることにより、Ｓリレー１０７の切替前後で、回線電圧の印加電圧極性が反転することを回避することが可能となる。
【００４８】
（その他の実施形態）
１．実施形態１において、ＣＰＵ１０３は、外部電話機を回線電圧回路１０８に切り替える時間Ｔ２の間だけ、入力信号ＣＩＯＮを回線電圧回路１０８に送信するようにしてもよい。（実施形態３）
【００４９】
このようにすれば、常時、信号を出し続ける必要がなくなるため、回線電圧回路１０８にかかる負荷を小さくできる。
【００５０】
２．実施形態２において、ＣＰＵ１０３は、外部電話機を回線電圧回路１０８に切り替える時間Ｔ２の開始時から予め定められた時間前から、回線電圧回路１０８に入力信号ＣＩＯＮの送信を開始し、時間Ｔ２の終了時から予め定められた時間後に入力信号ＣＩＯＮの送信を終了するようにしてもよい。（実施形態４）
【００５１】
このようにすれば、時間Ｔ２の開始時にＳリレー１０７を切り替える前から、入力信号ＣＩＯＮをＬレベルにしつつ、かつ、常時、信号を出し続ける必要がなくなるため、回線電圧回路１０８にかかる負荷を小さくできる。
【００５２】
ここで、「時間Ｔ２の開始時から予め定められた時間前」とは、例えば、時間Ｔ２の開始時の１秒前などである。
また、「時間Ｔ２の終了時から予め定められた時間後」とは、例えば、時間Ｔ２の開始時の１秒後などである。
【００５３】
３．実施形態１〜４に記載の回線網制御装置１０を備えたファクシミリ装置１であってもよい。（実施形態５）。
【００５４】
このようにすれば、電話回線と疑似リンガ電圧回路に接続される外部電話機の極性の不整合に起因する外部電話機の誤動作を簡単な構成で防止できる回線網制御装置１０を備えたファクシミリ装置１を実現できる。
【００５５】
以上に述べたように、
（ｉ）この発明の回線網制御装置は、外部電話機を接続可能なファクシミリ装置の回線網制御装置であって、電話回線の電圧極性を検出する極性検出部と、前記電話回線および前記回線電圧回路の間で前記外部電話機の接続を切り替える回線切替部と、前記外部電話機の接続が前記回線電圧回路に切り替えられたとき、前記外部電話機に電圧を供給する回線電圧回路と、前記極性検出部、前記回線切替部および前記回線電圧回路を制御する制御部とを備え、前記回線電圧回路は、前記制御部からの入力信号の種類に応じて基準電位に対し正負のいずれの極性の電圧も出力することができ、前記制御部は、前記電話回線の電圧極性を前記極性検出部に検出させ、前記電圧極性に応じて予め定められた種類の前記入力信号を前記回線電圧回路に入力することによって、前記電話回線の電圧極性および前記回線電圧回路の出力電圧の極性を一致させることを特徴とする。
【００５６】
この発明において、「外部電話機」は、ファクシミリ装置に接続可能な電話機であって、電話回線と接続することにより、相手側の電話機と通話することができる。
また、「入力信号の種類」とは、例えば、Ｌｏｗ電圧、Ｈｉｇｈ電圧のような電圧レベルなどである。
【００５７】
さらに、この発明の好ましい態様について説明する。
（ii）この発明による回線網制御装置において、前記制御部は、前記回線切替部に前記外部電話機の接続を前記電話回線から前記回線電圧回路に切り替えさせる際に、前記回線電圧回路の出力電圧の電圧極性が前記電話回線の電圧極性と異なるとき、前記電圧極性に応じて予め定められた種類の前記入力信号を前記回線電圧回路に入力することによって、前記電話回線の電圧極性および前記回線電圧回路の出力電圧の極性を一致させるものであってもよい。
【００５８】
このようにすれば、外部電話機の接続を電話回線から回線電圧回路に切り替える際に、電話回線および回線電圧回路の極性の不整合に起因する外部電話機の誤動作を簡単な構成で防止できる回線網制御装置を実現できる。
【００５９】
（iii）この発明による回線網制御装置において、前記制御部は、前記回線電圧回路の出力電圧の電圧極性が前記電話回線の電圧極性と異なるとき、前記電圧極性に応じて予め定められた種類の前記入力信号を前記回線電圧回路に入力することによって、前記電話回線の電圧極性および前記回線電圧回路の出力電圧の極性を一致させた後に、前記回線切替部に前記外部電話機の接続を前記電話回線から前記回線電圧回路に切り替えさせるものであってもよい。
【００６０】
このようにすれば、外部電話機の接続を電話回線から回線電圧回路に切り替える前から、電話回線および回線電圧回路の極性を整合させることが可能な回線網制御装置を実現できる。
【００６１】
（iv）この発明による回線網制御装置において、前記制御部は、前記回線切替部に前記外部電話機の接続を前記電話回線から前記回線電圧回路に切り替えさせる切替時間の間、または前記切替時間を含む時間の間、前記入力信号を前記回線電圧回路に入力するものであってもよい。
【００６２】
このようにすれば、常時、入力信号を出し続ける必要がなくなるため、回線電圧回路にかかる負荷を小さくできる。
【００６３】
（ｖ）前記回線網制御装置を備えたファクシミリ装置であってもよい。
【００６４】
このようにすれば、電話回線と疑似リンガ電圧回路に接続される外部電話機の電圧極性の不整合に起因する外部電話機の誤動作を簡単な構成で防止できる回線網制御装置を備えたファクシミリ装置を実現できる。
【００６５】
この発明の好ましい態様は、上述した複数の態様のうちの何れかを組み合わせたものも含む。
前述した実施形態の他にも、この発明について種々の変形例があり得る。それらの変形例は、この発明の範囲に属さないと解されるべきものではない。この発明には、請求の範囲と均等の意味および前記範囲内でのすべての変形とが含まれるべきである。
【符号の説明】
【００６６】
１：ファクシミリ装置、    １０：回線網制御装置、    １０１：ＬＩＮＥコネクタ、    １０２：回線制御部、    １０３：ＣＰＵ、    １０４：ＭＯＤＥＭ、    １０５：極性検出部、    １０６：ＴＥＬコネクタ、    １０７：Ｓリレー、    １０８：回線電圧回路、    １０９：ＣＩ検出部、    ＣＩＯＮ：入力信号、    ＣＩＯＵＴ：出力信号、    ＧＮＤ：基準電位、    ＨＳ１，ＨＳ２：信号、    Ｌ１１，Ｌ１２，Ｌ２１，Ｌ２２：端子、    ＳＯＮ：切替信号、    Ｒ１〜Ｒ５：抵抗、    Ｔ１〜Ｔ３：時間、    ＴＲ１〜ＴＲ４：トランジスタ
【図１】
2017046102.tif 000003
【図２】
2017046102.tif 000004
【図３】
2017046102.tif 000005
【図４】
2017046102.tif 000006
【図５】
2017046102.tif 000007
【図６】
2017046102.tif 000008